(57)【要約】【課題】運搬時の不意な強い外力に対しても確実に係合状態を維持できる電気掃除機を提供することを目的とするものである。【解決手段】集塵部蓋３と載置部４を、係止部８及び被係止部７からなる係止手段により係合自在に構成し、係止部８の被係止部７と係合する係止面１１を傾斜して設けたもので、集塵部蓋３が閉じた状態で掃除機本体を運搬する時には、係止面１１には係止手段を解除する方向とは反対方向へ力が加わっているので、不意に強い外力が加わっても係止面１１が被係止部７から外れることがなく確実に係合状態を維持することができる。【選択図】  図３
2004290337.tif 000002
【特許請求の範囲】
【請求項１】
吸引した塵埃を捕集する集塵部と、前記集塵部を着脱可能に装着する載置部と、前記集塵部を覆い載置部に対して開閉可能でかつ把手部を有する集塵部蓋とを備え、前記集塵部蓋と載置部は、係止部及び被係止部からなる係止手段により係合自在に構成し、前記係止部の被係止部と係合する係止面を傾斜して設けた電気掃除機。
【請求項２】
集塵部蓋に係止部と係止手段を解除するための係止解除手段を、載置部に被係止部を設けた請求項１に記載の電気掃除機。
【請求項３】
載置部に係止部と係止手段を解除するための係止解除手段を、集塵部蓋に被係止部を設けた請求項１に記載の電気掃除機。
【請求項４】
係止部を複数個配設し、左右対称形状で形成した請求項１〜３のいずれか１項に記載の電気掃除機。
【請求項５】
係止部を複数個配設し、左右同一形状で形成した請求項１〜３のいずれか１項に記載の電気掃除機。
【請求項６】
係止部を回動自在に軸支した請求項１〜５のいずれか１項に記載の電気掃除機。
【請求項７】
集塵部蓋と載置部を係合した状態において、係止面と係合する被係止面を、前記係止面とほぼ平行となるように、被係止部に形成した請求項１〜６のいずれか１項に記載の電気掃除機。
【請求項８】
係止面を金型の食いきり構造により形成した請求項１〜７のいずれか１項に記載の電気掃除機。
【請求項９】
係止面をスライドコア金型により形成した請求項１〜７のいずれか１項に記載の電気掃除機。
【請求項１０】
係止面をキャビティー金型及び／又はコア金型により形成した請求項１〜７のいずれか１項に記載の電気掃除機。
【発明の詳細な説明】
【０００１】
【発明の属する技術分野】
本発明は、一般家庭で使用される電気掃除機に関するものである。
【０００２】
【従来の技術】
従来の電気掃除機として、塵埃を捕集する集塵部を装着した載置部と、この載置部に対して後部を連結して開閉可能に取り付けた集塵部蓋とを備えたものが知られている（例えば、特許文献１参照）。
【０００３】
これは、集塵部蓋の前部に設けた外部操作可能な係止爪部を、載置部に設けた係止凹部と係合自在として集塵部蓋を開閉可能としているものである。
【０００４】
【特許文献１】
特開２００２−２８１２１号公報
【０００５】
【発明が解決しようとする課題】
しかしながら、上記従来の構成では、集塵部蓋が閉じた状態、すなわち、集塵部蓋の係止爪部と載置部の係止凹部が係合している状態において、掃除機本体を運搬する時、係止爪部と係止凹部は床面に対し水平な面で係合していたため、運搬時において不意に強い外力が働くと、集塵部蓋と載置部がねじれた状態になり、係止爪部が水平移動して係止凹部との係合が外れ、集塵部蓋が開いてしまう恐れがあった。
【０００６】
本発明は、上記従来の課題を解決するもので、運搬時の不意な強い外力に対しても確実に集塵部蓋と載置部の係合状態を維持できる電気掃除機を提供することを目的とするものである。
【０００７】
【課題を解決するための手段】
上記従来の課題を解決するために、本発明の電気掃除機は、集塵部蓋と載置部との係止手段における係止部の被係止部との係止面を傾斜して設けたものである。
【０００８】
これにより、集塵部蓋が閉じた状態、すなわち、集塵部蓋と載置部が係止手段により係合している状態で掃除機本体を運搬する時には、係止部の係止面が傾斜していることにより、係止面には係止手段を解除する方向とは反対方向へ力が加わっているので、不意に強い外力が加わっても係止部が被係止部から外れることがなく確実に係合状態を維持することができる。
【０００９】
【発明の実施の形態】
請求項１に記載の発明は、吸引した塵埃を捕集する集塵部と、前記集塵部を着脱可能に装着する載置部と、前記集塵部を覆い載置部に対して開閉可能でかつ把手部を有する集塵部蓋とを備え、前記集塵部蓋と載置部は、係止部及び被係止部からなる係止手段により係合自在に構成し、前記係止部の被係止部と係合する係止面を傾斜して設けた電気掃除機とすることにより、集塵部蓋が閉じた状態、すなわち、集塵部蓋と載置部が係止手段により係合している状態で掃除機本体を運搬する時には、係止部の係止面が傾斜していることにより、係止面には係止手段を解除する方向とは反対方向へ力が加わっているので、不意に強い外力が加わっても係止部が被係止部から外れることがなく確実に係合状態を維持することができる。
【００１０】
請求項２に記載の発明は、集塵部蓋に係止部と係止手段を解除するための係止解除手段を、載置部に被係止部を設けた請求項１に記載の電気掃除機とすることにより、集塵部蓋を開く時、集塵部蓋に設けた係止解除手段を操作して、集塵部蓋と載置部の係合を解除し、そのまま集塵部蓋を持ち上げると回動するので、片手で集塵部蓋を開けることができる。
【００１１】
請求項３に記載の発明は、載置部に係止部と係止手段を解除するための係止解除手段を、集塵部蓋に被係止部を設けた請求項１に記載の電気掃除機とすることにより、集塵部蓋を開く時、載置部に設けた係止解除手段を操作して、集塵部蓋と載置部の係合を解除すると、載置部を掴んでいるので、掃除機本体が安定した状態で集塵部蓋を開けることができる。
【００１２】
請求項４に記載の発明は、係止部を複数個配設し、左右対称形状で形成した請求項１〜３のいずれか１項に記載の電気掃除機とすることにより、掃除機本体の左右でバランス良く係合状態を維持すると共に、係合状態を解除することができる。
【００１３】
請求項５に記載の発明は、係止部を複数個配設し、左右同一形状で形成した請求項１〜３のいずれか１項に記載の電気掃除機とすることにより、金型の型数を少なくすることができると共に、組立ミスをなくすことができる。
【００１４】
請求項６に記載の発明は、係止部を回動自在に軸支した請求項１〜５のいずれか１項に記載の電気掃除機とすることにより、係止解除手段を操作すると、スムーズに係止面が回動するので、集塵蓋を開けたい時には容易に係合を解除することができる。
【００１５】
請求項７に記載の発明は、集塵部蓋と載置部を係合した状態において、係止面と係合する被係止面を、前記係止面とほぼ平行となるように、被係止部に形成した請求項１〜６のいずれか１項に記載の電気掃除機とすることにより、係合状態において強い外力が働いた時、係止面と被係止面は面でこの外力を受けるので、応力が分散し、係止部或いは被係止部の破壊を防止することができる。
【００１６】
請求項８に記載の発明は、係止面を金型の食いきり構造により形成した請求項１〜７のいずれか１項に記載の電気掃除機とすることにより、簡単な金型構成にすることができる。
【００１７】
請求項９に記載の発明は、係止面をスライドコア金型により形成した請求項１〜７のいずれか１項に記載の電気掃除機とすることにより、不要な開口部を設ける必要がないので、係止部の強度を確保することができる。
【００１８】
請求項１０に記載の発明は、係止面をキャビティー金型及び／又はコア金型により形成した請求項１〜７のいずれか１項に記載の電気掃除機とすることにより、不要な開口部を設ける必要がないので、係止部の強度を確保しつつ、簡単な金型構成にすることができる。
【００１９】
【実施例】
以下、本発明の実施例について、図面を参照しながら説明する。
【００２０】
（実施例１）
図１〜図５は、本発明の実施例１における電気掃除機を示すものである。
【００２１】
図１において、１は掃除機本体であり、吸引風を発する電動送風機（図示せず）を内蔵し、電動送風機の吸気上流側に着脱可能に装着され吸引した塵埃を捕集する集塵部２と、集塵部２の上面を覆う集塵部蓋３と、集塵部２を着脱可能に装着する載置部４とを設けている。
【００２２】
前記集塵部蓋３は、載置部４に対して後部が回動自在に取り付けられ開閉可能となっている。また、集塵部蓋３の上面には掃除機本体１を持ち運ぶための把手部５を一体的に形成し、前方には塵埃を吸引し前記集塵部２に連通する吸気口６を設けている。
【００２３】
図２、図３に示すように、集塵部蓋３の吸気口６の両側には、載置部４の前方に設けた被係止部７に係合する互いに左右対称形状で左右同一形状に形成した係止部８を２個設け、これを集塵部蓋３に取り付けた保持体９にバネ等の弾性体１０で付勢して回動自在に軸支してある。前記係止部８及び被係止部７は、集塵部蓋３と載置部４を係合自在とする係止手段を構成している。そして、係止部８は、被係止部７と係合する係止面１１を傾斜した面で形成し、その根元部には、図４に示すように、係止面１１を形成するための開口部１２を設けている。また、係止部８には集塵部蓋３と載置部４の係合状態を解除するための係合解除手段１３を一体的に形成しており、吸気口６の両側で外部操作可能としている。
【００２４】
また、図５に示すように、載置部４の被係止部７は、係止部８との係合状態において係止面１１とほぼ平行な面で形成された被係止面１４を設け、係止面１１と係合可能となっている。
【００２５】
次に、係止部８に設けた係止面１１と開口部１２の金型構成と形成方法について、図６を用いて説明する。
【００２６】
係止部８を成形するために、外部に配設されるキャビティー金型１５と内部側に配設されるコア金型１６が使用される。キャビティー金型１５はイ方向、コア金型１６はロ方向に成形後移動し、係止部８が形成される。この時、キャビティー金型１５とコア金型１６を食いきり構造にすることで、係止面１１を傾斜した面で形成することができる。
【００２７】
上記構成による作用は以下のとおりである。
【００２８】
集塵部蓋３が閉じた状態、すなわち、集塵部蓋３と載置部４が係合している状態で把手部５を持って掃除機本体１を運搬する時には、被係止部７に係止部８が係合しており、係止部８に設けた係止面１１が傾斜していることにより、係止面１１には係合状態を解除する方向とは反対方向へ力が加わる。また、係合状態において、強い外力が働いた時、係止面１１と被係止面１４はほぼ平行な面で外力を受けるので、応力が分散する。したがって、運搬時の不意な強い外力に対しても、係止部８や被係止部７が破壊することなく、確実に係合状態を維持することができる。
【００２９】
また、集塵部蓋３を開く時、集塵部蓋３に設けた係止解除手段１３を操作して（押し込んで）、集塵部蓋３と載置部４の係合を解除し、そのまま集塵部蓋３を持ち上げると回動すると共に、左右対称形状で形成し、回動自在に軸支しているので、片手で集塵部蓋３を開けることができる。すなわち、掃除機本体１の左右でバランス良く係合状態を維持すると共に、係合状態をスムーズに解除することができる。さらに、係止部１１を形成するにあたっては、食いきり構造の金型を使用しているので、簡単な金型構成にすることができる。また、係止部８を左右同一形状で形成したことにより、金型の型数を少なくすることができると共に、組立ミスをなくすことができる。
【００３０】
（実施例２）
次に、図７〜図９は、本発明の実施例２における電気掃除機を示すものである。実施例１と同一構成部品については同一符号を付して、その説明を省略する。
【００３１】
本実施例では、集塵部蓋３の前方に被係止部７を設け、載置部４の前方には、被係止部７に係合する、互いに左右対称形状で左右同一形状に形成した係止部８を２個設けたものである。すなわち、被係止部７と係止部８の設置位置を実施例１と逆にしたものであり、他は同一である。
【００３２】
次に、係止部８に設けた係止面１１の金型構成と形成方法について、図１０を用いて説明する。
【００３３】
係止部８を成形するために、外部に配設されるキャビティー金型１５と内部側に配設されるコア金型１６と係止面１１を形成するためのスライドコア金型１７が使用される。キャビティー金型１５はイ方向、コア金型１６はロ方向、スライドコア金型１７はハ方向に成形後移動し、係止部８が形成される。この時、スライドコア金型１７を使用することで、係止面１１を傾斜した面で形成することができる。なお、本実施例では、スライドコア金型１７の抜き方向をハ方向にしているが、手前や奥の方向に移動する構成であってもよい。また、係止面１１を形成する他の方法としては、図１１、図１２に示すように、キャビティー金型１５及び／又はコア金型１６を使用しても同様に係止面１１を傾斜した面で形成することができる。
【００３４】
上記金型構成によれば、実施例１における係止部８の開口部１２は不要となり、係止部８は図９に示すような形状となる。
【００３５】
上記構成による作用は以下のとおりである。
【００３６】
集塵部蓋３が閉じた状態、すなわち、集塵部蓋３と載置部４が係合している状態で把手部５を持って掃除機本体１を運搬する時における、係合状態の維持については、実施例１と同様である。ここで、本実施例では、集塵部蓋３を開く時、片手で載置部４に設けた係止解除手段１３を操作し、集塵部蓋３と載置部４の係合を解除すると、載置部４を掴んでいるので、掃除機本体１が安定した状態で他方の手で集塵部蓋３を開けることができる。
【００３７】
また、係止面１１をスライドコア金型１７により形成したことにより、不要な開口部１２を設ける必要がないので、係止部８の強度を確保することができる。さらに、係止面をキャビティー金型１５及び／又はコア金型１６により形成すると、不要な開口部１２を設ける必要がなく、係止部８の強度を確保しつつ、簡単な金型構成にすることができる。
【００３８】
【発明の効果】
以上のように、本発明の電気掃除機によれば、、集塵部蓋と載置部との係止手段における係止部の被係止部との係止面を傾斜して設けたものであり、集塵部蓋が閉じた状態、すなわち、集塵部蓋と載置部が係止手段により係合している状態で掃除機本体を運搬する時には、係止部の係止面が傾斜していることにより、係止面には係止手段を解除する方向とは反対方向へ力が加わっているので、不意に強い外力が加わっても係止部が被係止部から外れることがなく確実に係合状態を維持することができる。
【図面の簡単な説明】
【図１】本発明の実施例１における電気掃除機の全体斜視図
【図２】同電気掃除機の集塵部蓋を開口した時の全体斜視図
【図３】同電気掃除機における集塵部蓋の係合状態を示す要部断面図
【図４】同電気掃除機の係止部の斜視図
【図５】同電気掃除機の被係止部の要部断面図
【図６】同電気掃除機の係止面形成時の金型構造を示す断面図
【図７】本発明の実施例２における電気掃除機の集塵部蓋を開口した時の全体斜視図
【図８】同電気掃除機における集塵部蓋の係合状態を示す要部断面図
【図９】同電気掃除機の係止部の斜視図
【図１０】同電気掃除機の係止面形成時の金型構造の一例を示す断面図
【図１１】同電気掃除機の係止面形成時の金型構造の他例を示す断面図
【図１２】同電気掃除機の係止面形成時の金型構造の他例を示す断面図
【符号の説明】
１  掃除機本体
２  集塵部
３  集塵部蓋
４  載置部
５  把手部
７  被係止部
８  係止部
１１  係止面
１３  係止解除手段
１４  被係止面
１５  キャビティー金型
１６  コア金型
１７  スライドコア金型
【図１】
2004290337.tif 000003
【図２】
2004290337.tif 000004
【図３】
2004290337.tif 000005
【図４】
2004290337.tif 000006
【図５】
2004290337.tif 000007
【図６】
2004290337.tif 000008
【図７】
2004290337.tif 000009
【図８】
2004290337.tif 000010
【図９】
2004290337.tif 000011
【図１０】
2004290337.tif 000012
【図１１】
2004290337.tif 000013
【図１２】
2004290337.tif 000014